(57)【要約】【課題】画像形成ジョブに基づく画像形成物の排紙位置を容易に確認できるようにすると共に、画像形成物の取り忘れを防止できるようにする。【解決手段】画像形成ジョブに基づく画像を用紙に形成して画像形成物を当該画像形成ジョブ毎に排出するカラープリンタ８０と、カラープリンタ８０から排出される画像形成物を画像形成ジョブ毎に積載するスタッカー１０２，１０３と、スタッカー１０２，１０３に排出される画像形成物の排出先を表示し、画像形成物の排出先を確認するための要求を入力する操作表示パネル４８と、画像形成ジョブ毎にカラープリンタ８０から各々のスタッカー１０２，１０３に排出される画像形成物を管理すると共に、操作部によって入力された確認要求に基づく画像形成物の排出先を画像形成ジョブ毎に表示するように表示部を制御する制御部とを備えるのである。【選択図】    図１
2013146898.tif 000002
【特許請求の範囲】
【請求項１】
画像形成ジョブに基づく画像を用紙に形成して画像形成物を当該画像形成ジョブ毎に排出する画像形成部と、
前記画像形成部から排出される画像形成物を前記画像形成ジョブ毎に積載する複数の排紙部と、
前記排紙部に排出される前記画像形成物の排出先を表示する表示部と、
前記表示部に表示される前記画像形成物の排出先を確認するための要求を入力する操作部と、
画像形成ジョブ毎に前記画像形成部から各々の前記排紙部に排出される画像形成物を管理すると共に、前記操作部によって入力された確認要求に基づく前記画像形成物の排出先を前記画像形成ジョブ毎に表示するように前記表示部を制御する制御部とを備えることを特徴とする画像形成装置。
【請求項２】
前記表示部は、
各々の前記排紙部に排出された前記画像形成物の出力ページ及び出力部数の少なくともいずれか一方を併せて表示することを特徴とする請求項１に記載の画像形成装置。
【請求項３】
前記表示部は、
各々の前記排紙部に積載された他の画像形成ジョブの有無及び他の画像形成ジョブの情報の少なくともいずれか一方を併せて表示することを特徴とする請求項２に記載の画像形成装置。
【請求項４】
前記他の画像形成ジョブの情報には、用紙の枚数及び紙種が含まれることを特徴とする請求項３に記載の画像形成装置。
【請求項５】
前記制御部は、
前記表示部における前記画像形成物の排出先の表示中に、他の画像形成ジョブの状態に変化が有ったか否かを監視し、
他の前記画像形成ジョブの状態に変化が有った場合、前記表示部による前記画像形成物の排出先の表示を変更することを特徴とする請求項１に記載の画像形成装置。
【請求項６】
前記制御部は、
各々の前記排紙部から前記画像形成物が取り除かれたか否かを監視し、
前記排紙部から前記画像形成物が取り除かれた場合、前記表示部による前記画像形成物の排出先の表示に加えて、前記排紙部から前記画像形成物が取り除かれた時刻を表示するように前記表示部を制御することを特徴とする請求項１に記載の画像形成装置。
【請求項７】
前記制御部は、
前記表示部における前記画像形成物の排出先の表示中に、前記排紙部から前記画像形成物が取り除かれた場合、
前記表示部による前記画像形成物の排出先の表示を変更することを特徴とする請求項１に記載の画像形成装置。
【請求項８】
画像形成部、複数の排紙部、表示部及び制御部を備えた画像形成装置の制御方法であって、
前記制御部が、
画像形成ジョブに基づく画像を用紙に形成して画像形成物を排出するように前記画像形成部を制御するステップと、
前記画像形成部から排出される画像形成物を前記画像形成ジョブ毎に積載するように前記排紙部を制御するステップと、
前記画像形成部から各々の前記排紙部に排出される画像形成物を管理するステップと、
排紙管理される前記画像形成物の排出先を確認するための要求を受け付けるステップと、  
受け付けられた前記画像形成物の排出先を前記画像形成ジョブ毎に表示するように前記表示部を制御するステップとを実行することを特徴とする画像形成装置の制御方法。
【発明の詳細な説明】
【技術分野】
【０００１】
この発明は、画像形成ジョブに基づく画像を用紙に形成した画像形成物を当該画像形成ジョブ毎に排出する機能を備えたカラー用や、白黒用のプリンタや、複写機、これら複合機に適用して好適な画像形成装置に関するものである。
【背景技術】
【０００２】
近年、カラー用の画像情報に基づいて色画像を形成するカラープリンタや、原稿の画像を読み取ってカラー画像再生用の画像信号を出力するスキャン機能を備えたカラー用の複写機や、複合機が使用される場合が多くなってきた。例えば、赤色（Ｒ）、緑色（Ｇ）及び青色（Ｂ）系の画像データを取得し、この画像データに基づいて色画像を形成するデジタルのカラー用の画像形成装置が広く使用されている。
【０００３】
この種のタンデム型のカラー画像形成装置において、電子写真方式の画像形成部が備えられ、画像形成部では、ＲＧＢ系の画像データがＹＭＣＫ系の画像データに色変換され、色変換後のイエロー（Ｙ）色、マゼンタ（Ｍ）色、シアン（Ｃ）色及び黒（ＢＫ）色用の画像データに基づいてカラーのトナー像が形成される。画像形成部は、Ｙ，Ｍ，Ｃ，ＢＫ色の像形成出力機能を各々分担する画像形成ユニットを備え、各作像色毎に帯電部によって一様に帯電された感光体ドラムに、画像データに基づいて静電潜像が、ポリゴンミラー等を使用した光書込み部（ＰＨ：Printer  Head）により形成される。
【０００４】
静電潜像は各作像色毎に現像装置によって現像される。このような帯電、露光、現像を行い、感光体ドラム上に形成されたカラートナー像が、中間転写ベルト上で重ね合わされ、ここに重ね合わされたカラートナー像が転写部によって用紙に転写される。用紙は、用紙給紙部によって、給紙トレイから転写部へ搬送される。所定の用紙上に転写されたトナー像は、定着装置により定着される。これにより、画像データに基づくカラー画像を所定の用紙に形成することができる。
【０００５】
ところで、カラー画像形成装置によれば、スタッカー等の後処理装置を連結して画像形成システムを構築し、当該カラー画像形成装置から排出される画像形成済の用紙を画像形成ジョブ毎に蓄積する機能が利用されている。
【０００６】
この種のスタッカー機能を備えた画像形成装置に関して、特許文献１に開示された印刷装置によれば、用紙給紙部、印刷機構部、複数のスタッカー及び、第１又は第２の印刷制御論理部のいずれか一方を備えて構成される。用紙給紙部は用紙を印刷機構部に供給する。印刷機構部は、用紙給紙部から給紙される用紙に対して所望の情報の印刷処理を行う。スタッカーには、印刷機構部から排出される印刷済の用紙が蓄積される。これらを前提にして、第１の印刷制御論理部が、相互に識別可能な複数のジョブの各々毎に、当該ジョブによって印刷機構部から排出される用紙が複数のスタッカーに跨がって排出されたか否かを監視し、個々のジョブによって印刷機構部から排出される用紙が複数のスタッカーに跨がって排出された場合には、オペレータに報告する第１の動作および印刷操作を停止する第２の動作の少なくとも一方を実行する。
【０００７】
また、第２の印刷制御論理部は、個々のスタッカーに、当該スタッカーが用紙によって満杯になったか否かを検知する第１のセンサと、スタッカー内に用紙が任意の量だけ蓄積されたか否かを検知する第２のセンサとを有し、任意のジョブの実行完了時に任意のスタッカーの一つに蓄積された用紙の量が、第１のセンサと第２のセンサの間にある場合には、次のジョブの実行によって印刷機構部から排出される用紙を他のスタッカーに切り換えて蓄積させる操作を行うものである。このように印刷装置を構成すると、複数のスタッカーに排出されるカット紙等の用紙の仕分け管理作業を簡便かつ的確に行うことができ、更に、用紙の紛失を未然に防止できるというものである。
【０００８】
また、複数の排紙部を備えた画像形成装置に関連して、特許文献２に開示された印刷装置によれば、満杯検知手段、排出部切替手段、排紙先情報印刷部及び、排紙元情報印刷部を備えて構成される。満杯検知手段は、印刷時に印刷データのどの部分で排紙部が満杯になるかを検知する。排出部切替手段は、排紙部の満杯時に用紙の排出先を自動的に切り替える。排紙先情報印刷部が満杯検知手段で満杯が検出された場合に、最後に満杯となる排紙部へ排紙される用紙には、満杯後に継続する印刷データがどの排紙部へ排紙されるかを示す情報を印刷する。これらを前提にして、特許文献２は、排紙元情報印刷部が、排紙部満杯時に、用紙の排出先を自動的に切り替えた後の排紙部の最初に印刷する用紙に、どの排紙部へ印刷していて満杯になったかを示す情報を印刷するというものである。
【０００９】
このように印刷装置を構成すると、異なる排紙部へ排紙された用紙を１つにまとめる際に、区切りページの内容を確認するだけでまとめることができるため、用紙回収作業を容易にし、その作業効率を向上できるというものである。
【００１０】
更に、複数の排紙トレイを備えた画像形成装置に関連して、特許文献３に開示された画像形成システムによれば、ホスト装置と印字用紙出力装置とがネットワークを介して接続され、ホスト装置からの印字出力要求信号を受けた印字用紙出力装置が印字出力を行う場合に、印字用紙出力装置には送信手段及び複数の排紙トレイが備えて構成される。各々の排紙トレイには、印字用紙出力装置で印字された用紙が排出される。送信手段はホスト装置と印字用紙出力装置との間で通信処理を行う。
【００１１】
これを前提にして、送信手段が、ホスト装置から当該印字用紙出力装置に向けて印字出力要求信号を送信した際に、その印字枚数が１個の排紙トレイに収容できない用紙枚数であるとき、他の排紙トレイに対しても用紙を排紙し、その排紙トレイをホスト装置で認識可能とするようにホスト装置に表示信号を送信するようにした。このように画像形成システムを構成すると、全ての印字用紙の排出を良好に行うことができると共に、その排出先の把握も容易に行うことができ、システムの利便性を向上できるというものである。
【先行技術文献】
【特許文献】
【００１２】
【特許文献１】特開平  ０８−２１２０３０号公報
【特許文献２】特開２００７−０３９２３６号公報
【特許文献３】特開２００２−２１５３４３号公報
【発明の概要】
【発明が解決しようとする課題】
【００１３】
ところで、従来例に係る複数の排紙機能を備えた画像形成装置によれば、次のような問題がある。  
ｉ．特許文献１に見られる複数のスタッカーを備えた印刷装置によれば、画像形成ジョブによって印刷機構部から排出される用紙（出力物）が複数のスタッカーに跨がって排出されたか否かを監視し、個々の画像形成ジョブによって印刷機構部から排出される用紙が複数のスタッカーに跨がって排出された場合に、オペレータに報告すると共に印刷操作を停止するようになされる。
【００１４】
しかし、特許文献１によれば、出力物の回収作業時、どの画像形成ジョブの出力物がどのスタッカーに排出されているのかを表示画面上でその排紙先を確認することができない。しかも、特許文献１によれば、複数の画像形成ジョブが並列に動作している場合等において、出力対象の画像形成ジョブに係る出力物の排紙位置を把握することが困難となるという問題がある。
【００１５】
ii．特許文献２に見られる印刷装置によれば、排紙元情報印刷部が、排紙部満杯時に、用紙の排出先を自動的に切り替えた後の排紙部の最初に印刷する用紙に、どの排紙部へ印刷していて満杯になったかを示す情報を印刷するようになされる。
【００１６】
しかし、特許文献１によれば、画像形成ジョブの全体がどの排紙先に出力されたかを確認することができない。しかも、特許文献２によれば、他の画像形成ジョブが同じ排紙先に存在する場合において、どこまでが出力対象の画像形成ジョブに基づく出力物であるか否かを判断することができないという問題がある。
【００１７】
iii．特許文献３に見られる印字用紙出力装置によれば、ホスト装置から印字出力要求信号を送信した際に、その印字枚数が１個の排紙トレイに収容できない用紙枚数であるとき、他の排紙トレイに対しても用紙を排紙し、その排紙トレイをホスト装置で認識可能とするようにホスト装置に表示信号を送信するようにした。
【００１８】
従って、画像形成ジョブを開始する前に、ホスト装置において、他の排紙トレイに対しても用紙を排紙されることが確認できるが、画像形成ジョブが開始された後に、排紙トレイが変更された場合は対応することができないという問題がある。
【００１９】
そこで、この発明は上述した課題を解決したものであって、画像形成ジョブに基づく画像形成物の排紙位置を容易に確認できるようにすると共に、画像形成物の取り忘れを防止できるようにした画像形成装置及びその制御方法を提供することを目的とする。
【課題を解決するための手段】
【００２０】
上記課題を解決するために、請求項１に記載の画像形成装置は、画像形成ジョブに基づく画像を用紙に形成して画像形成物を当該画像形成ジョブ毎に排出する画像形成部と、前記画像形成部から排出される画像形成物を前記画像形成ジョブ毎に積載する複数の排紙部と、前記排紙部に排出される前記画像形成物の排出先を表示する表示部と、前記表示部に表示される前記画像形成物の排出先を確認するための要求を入力する操作部と、画像形成ジョブ毎に前記画像形成部から各々の前記排紙部に排出される画像形成物を管理すると共に、前記操作部によって入力された確認要求に基づく前記画像形成物の排出先を前記画像形成ジョブ毎に表示するように前記表示部を制御する制御部とを備えることを特徴とするものである。
【００２１】
請求項１に記載の画像形成装置によれば、画像形成部が画像形成ジョブに基づく画像を用紙に形成して画像形成物を画像形成ジョブ毎に各々の排紙部に排出する。複数の排紙部は、画像形成部から排出される画像形成物を画像形成ジョブ毎に積載する。表示部は、排紙部に排出される画像形成物の排出先を表示する。操作部は、表示部に表示される画像形成物の排出先を確認するための要求を入力する。これらを前提にして、制御部が、画像形成ジョブ毎に画像形成部から各々の排紙部に排出される画像形成物を管理すると共に、操作部によって入力された確認要求に基づく画像形成物の排出先を当該画像形成ジョブ毎に表示するように表示部を制御するようになる。この表示制御によって、操作部によって入力された確認要求に基づく画像形成物の排出先を画像形成ジョブ毎に全て表示部に表示できるようになる。
【００２２】
請求項２に記載の画像形成装置は、請求項１において、前記表示部は、各々の前記排紙部に排出された前記画像形成物の出力ページ及び出力部数の少なくともいずれか一方を併せて表示することを特徴とするものである。
【００２３】
請求項３に記載の画像形成装置は、請求項２において、前記表示部は、各々の前記排紙部に積載された他の画像形成ジョブの有無及び他の画像形成ジョブの情報の少なくともいずれか一方を併せて表示することを特徴とするものである。
【００２４】
請求項４に記載の画像形成装置は、請求項３において、前記他の画像形成ジョブの情報には、用紙の枚数及び紙種が含まれることを特徴とするものである。
【００２５】
請求項５に記載の画像形成装置は、請求項１において、前記制御部は、前記表示部における前記画像形成物の排出先の表示中に、他の画像形成ジョブの状態に変化が有ったか否かを監視し、他の前記画像形成ジョブの状態に変化が有った場合、前記表示部による前記画像形成物の排出先の表示を変更することを特徴とするものである。
【００２６】
請求項６に記載の画像形成装置は、請求項１において、前記制御部は、各々の前記排紙部から前記画像形成物が取り除かれたか否かを監視し、前記排紙部から前記画像形成物が取り除かれた場合、前記表示部による前記画像形成物の排出先の表示に加えて、前記排紙部から前記画像形成物が取り除かれた時刻を表示するように前記表示部を制御することを特徴とするものである。
【００２７】
請求項７に記載の画像形成装置は、請求項１において、前記制御部は、前記表示部における前記画像形成物の排出先の表示中に、前記排紙部から前記画像形成物が取り除かれた場合、前記表示部による前記画像形成物の排出先の表示を変更することを特徴とするものである。
【００２８】
請求項８に記載の画像形成装置の制御方法は、画像形成部、複数の排紙部、表示部及び制御部を備えた画像形成装置の制御方法であって、前記制御部が、画像形成ジョブに基づく画像を用紙に形成して画像形成物を排出するように前記画像形成部を制御するステップと、前記画像形成部から排出される画像形成物を前記画像形成ジョブ毎に積載するように前記排紙部を制御するステップと、前記画像形成部から各々の前記排紙部に排出される画像形成物を管理するステップと、排紙管理される前記画像形成物の排出先を確認するための要求を受け付けるステップと、受け付けられた前記画像形成物の排出先を前記画像形成ジョブ毎に表示するように前記表示部を制御するステップとを実行することを特徴とするものである。
【発明の効果】
【００２９】
請求項１に係る画像形成装置及び、請求項８に係る画像形成装置の制御方法によれば、画像形成物の排出先を表示するための表示部を制御する制御部を備え、この制御部が、画像形成ジョブ毎に画像形成部から各々の排紙部に排出される画像形成物を管理すると共に、操作部によって入力された確認要求に基づく画像形成物の排出先を画像形成ジョブ毎に表示制御するようにした。
【００３０】
この構成によって、操作部によって入力された確認要求に基づく画像形成物の排出先を画像形成ジョブ毎に全て表示部に表示できるようになる。これにより、ユーザが画像形成ジョブに基づく画像形成物の排紙位置を容易に確認することができ、画像形成物の取り忘れを防止できるようになる。
【００３１】
請求項２に係る画像形成装置によれば、表示部が各々の排紙部に排出された画像形成物の出力ページ及び出力部数の少なくともいずれか一方を表示するので、ユーザが投じた画像形成ジョブの排出位置を容易に確認することができる。
【００３２】
請求項３に係る画像形成装置によれば、表示部が各々の排紙部に積載された他の画像形成ジョブの有無及び他の画像形成ジョブの情報の少なくともいずれか一方を表示するので、ユーザが画像形成ジョブに基づく画像形成物の回収を行うとき、他の画像形成ジョブの存在を確認できるようになり、誤って、他の画像形成ジョブに係る画像形成物を回収してしまうことを防止できるようになる。
【００３３】
請求項４に係る画像形成装置によれば、他の画像形成ジョブの情報には、用紙の枚数及び紙種が含まれるので、ユーザが自分が投じた画像形成ジョブと、他人が投じた画像形成ジョブとの区切りを容易に確認することができるようになり、誤って、他人の画像形成ジョブに基づく画像形成物を回収してしまうことを防止できるようになる。
【００３４】
請求項５に係る画像形成装置によれば、他の画像形成ジョブの状態に変化が有った場合、制御部は、表示部による画像形成物の排出先の表示を変更するので、ユーザにとって、常に排出先の状態を把握することができ、画像形成物の回収作業中に、他の画像形成物の排出がなされ、ユーザが意図せずに、排出先の状態が変化することによる画像形成物の取り違いを防止できるようになる。
【００３５】
請求項６に係る画像形成装置によれば、排紙部から画像形成物が取り除かれた場合、表示部による画像形成物の排出先の表示に加えて、当該排紙部から画像形成物が取り除かれた時刻が表示されるので、表示時刻の情報に基づいて排紙部から当該画像形成ジョブに係る画像形成物が取り除かれた時刻を確認できるようになる。これにより、画像形成ジョブに基づく画像形成物が誤って回収された可能性がある画像形成ジョブの特定が容易になり、リカバリー作業が容易になる。
【００３６】
請求項７に係る画像形成装置によれば、排紙部から画像形成物が取り除かれた場合、制御部が、表示部による画像形成物の排出先の表示を変更するので、ユーザが画像形成ジョブに基づく画像形成物の回収作業を行っている中で、回収済みの画像形成物と未回収の画像形成物とを容易に認識できるようになる。
【図面の簡単な説明】
【００３７】
【図１】本発明に係る実施形態としてのカラー複写機１００の構成例を示す説明図である。
【図２】カラー複写機１００の制御系の構成例を示すブロック図である。
【図３】ジョブ管理テーブル及び出力先情報要素のデータ構造例を示す説明図である。
【図４】排紙先管理テーブル及び排紙用紙情報要素のデータ構造例を示す説明図である。
【図５】ジョブ履歴画面Ｇ１の表示例を示す説明図である。
【図６】排出先表示画面Ｇ２１の表示例を示す説明図である。
【図７】排出先表示画面Ｇ２２の表示例を示す説明図である。
【図８】排出先表示画面Ｇ２３の表示例を示す説明図である。
【図９】排出先表示画面Ｇ２４の表示例を示す説明図である。
【図１０】カラー複写機１００における通常プリント処理時のジョブ出力情報及び排紙先履歴情報の処理例を示すフローチャートである。
【図１１】ジョブ履歴画面Ｇ１の表示処理例を示すフローチャート（メインルーチン）である。
【図１２】排出先表示画面の表示制御例（その１）を示すフローチャート（サブルーチン）である。
【図１３】排出先表示画面の表示制御例（その２）を示すフローチャート（サブルーチン）である。
【図１４】画像形成ジョブ排出時の排紙先状態情報の取得例を示すフローチャート（サブルーチン）である。
【図１５】出力物回収時の排紙先履歴情報Ｄ５４の処理例を示すフローチャートである。
【発明を実施するための形態】
【００３８】
以下、図面を参照しながら、この発明の実施の形態に係る画像形成装置及びその制御方法について説明をする。本欄の記載は、特許請求の範囲に記載される技術的範囲や、用語の意味等を限定するものではない。
【００３９】
図１に示すカラー複写機１００は、本発明に係る画像形成装置の一例を構成し、複写機本体部１０１及び、後処理機能として２台のスタッカー１０２，１０３を備えて構成される。カラー複写機１００は、例えば、用紙供給部２０、操作表示パネル４８及びカラープリンタ８０の他に、図２に示すような制御部１５、画像処理手段１６及びスキャナ１０５を有している。
【００４０】
用紙供給部２０は、用紙Ｐをカラープリンタ８０へ給紙するために、例えば、３つの給紙トレイ２１，２２，２３を有している。給紙トレイ２１には、Ａ３サイズ、斤量６４ｇ／ｍ2（以下で単に６４ｇという）の普通紙が収納される。給紙トレイ２２には、Ａ３サイズ、斤量８０ｇの上質紙が収納される。給紙トレイ２３には、他のサイズ、他の斤量の用紙Ｐが収納される。
【００４１】
用紙供給部２０には画像形成部の一例を構成するカラープリンタ８０が接続される。カラープリンタ８０は、画像形成ジョブに基づくカラー画像を用紙Ｐに形成して画像形成物（以下で出力物Ｐoutという）を当該画像形成ジョブ毎に排出する。カラープリンタ８０には、例えば、タンデム型の電子写真方式のプリンタエンジンが使用される。カラープリンタ８０によれば、ＲＧＢ系の画像データがＹＭＣＫ系の画像データに色変換され、色変換後のイエロー（Ｙ）色、マゼンタ（Ｍ）色、シアン（Ｃ）色及び黒（ＢＫ）色用の画像データに基づいてカラーのトナー像が形成される。
【００４２】
カラープリンタ８０は、Ｙ，Ｍ，Ｃ，ＢＫ色の像形成出力機能を各々分担する画像形成ユニットを備え、各作像色毎に帯電部によって一様に帯電された感光体ドラムに、画像データに基づいて静電潜像が、ポリゴンミラー等を使用した光書込み部（ＰＨ：Printer  Head）により形成される。
【００４３】
静電潜像は各作像色毎に現像装置によって現像される。このような帯電、露光、現像を行い、感光体ドラム上に形成されたカラートナー像が、中間転写ベルト上で重ね合わされ、ここに重ね合わされたカラートナー像が転写部によって用紙に転写される。用紙Ｐは、用紙供給部２０によって、給紙トレイ２１等から転写部へ搬送される。所定の用紙Ｐ上に転写されたトナー像は、定着装置により定着される。これにより、画像データに基づくカラー画像を所定の用紙Ｐに形成することができる。
【００４４】
スタッカー１０２，１０３は、複数の排紙部の一例を構成し、カラープリンタ８０から排出される出力物Ｐoutを画像形成ジョブ毎に積載する。スタッカー１０２は、図６〜図９に示す排出先表示画面中で「スタッカー１」と表示され、スタッカー１０３は、同画面中で「スタッカー２」と表示される。
【００４５】
続いて、図２を参照して、カラー複写機１００の制御系の構成例について説明する。図２に示すカラー複写機１００は、制御部１５、画像処理手段１６、用紙供給部２０、操作表示パネル４８、カラープリンタ８０及びスキャナ１０５を有して構成される。
【００４６】
操作表示パネル４８は表示部及び操作部の一例を構成し、例えば、図２に示す表示部１８及び操作制御部１４を有している。表示部１８は、スタッカー１０２，１０３に排出される出力物Ｐoutの排出先を表示する。表示部１８には例えば、画像形成ジョブ（対象ジョブ）の基本設定画面及び、全ての出力物Ｐoutの排出先表示画面が表示される。例えば、表示部１８には、図５に示すようなジョブ履歴画面Ｇ１や、図６〜図９に示すような排出先表示画面Ｇ２１〜Ｇ２４等が表示される。
【００４７】
操作制御部１４は、通常動作モード時の画像形成条件等を設定するように操作される。通常動作モードとは、ユーザが設定した画像形成条件等に基づいて所定の紙サイズの用紙に画像を形成する動作をいう。画像形成条件には、基本設定、出力設定、応用設定、用紙設定、印刷面、後処理設定、画質調整等が含まれる。出力設定では、出力物Ｐoutの排出先を指定できるようになっている。
【００４８】
操作表示パネル４８は、タッチパネルと液晶表示装置（ＬＣＤ）から構成される。操作表示パネル４８にはＧＵＩ（Graphic User Interface）方式の入力手段が使用される。例えば、用紙設定時、当該用紙Ｐが収納されている給紙トレイ２１〜２３を選択する操作がなされる。
【００４９】
もちろん、用紙Ｐの種類（紙種）や、紙サイズ等を選択したり、給紙トレイ２１〜２３を選択する際に、「自動」がタッチ操作され、画像形成条件が設定される。操作表示パネル４８で設定された画像形成条件や給紙トレイ選択情報等は、操作データＤ１４となって画像制御ＣＰＵ５５に出力される。画像形成条件等は表示データＤ１８に基づいて表示部１８に表示される。表示データＤ１８は画像制御ＣＰＵ５５から操作表示パネル４８に出力される。
【００５０】
操作制御部１４は表示部１８に表示される出力物Ｐoutの排出先を確認するための要求を入力する。これにより、ユーザが先に投じた画像形成ジョブに係る出力物Ｐoutの排紙位置を排出先表示画面Ｇ２１〜Ｇ２４上で確認することができ、取り忘れを防止できるようになる。
【００５１】
操作表示パネル４８には制御部１５が接続される。制御部１５は、例えば、読み取り処理部５１、圧縮ＩＣ５２、画像メモリ５３、ジョブ管理用のメモリ部５４、画像制御ＣＰＵ５５、ＤＲＡＭ制御ＩＣ５６、データバス５８及び書き込み処理部５９を有して構成される。
【００５２】
画像制御ＣＰＵ５５は、画像形成ジョブ毎にカラープリンタ８０から各々のスタッカー１０２，１０３に排出される出力物Ｐoutを管理すると共に、操作制御部１４によって入力された確認要求に基づく出力物Ｐoutの排出先を画像形成ジョブ毎に表示するように表示部１８を制御する。
【００５３】
画像制御ＣＰＵ５５は、まず、画像形成ジョブに基づく画像を用紙Ｐに形成して出力物Ｐoutを排出するようにカラープリンタ８０を制御し、カラープリンタ８０から排出される出力物Ｐoutを画像形成ジョブ毎に積載するようにスタッカー１０２，１０３を制御する。例えば、画像制御ＣＰＵ５５はページカウンタを有しており、出力枚数の値Ｎを０で初期化した後、画像形成ジョブに係る出力物Ｐoutを１枚出力する毎にカウントアップする。
【００５４】
更に、画像制御ＣＰＵ５５は、カラープリンタ８０から各々のスタッカー１０２，１０３に排出される出力物Ｐoutを管理し、ここに排紙管理される出力物Ｐoutの排出先を確認するための要求を操作表示パネル４８を介して受け付けるようになされる。その後、画像制御ＣＰＵ５５は、操作表示パネル４８によって、受け付けられた出力物Ｐoutの排出先を画像形成ジョブ毎に表示するように表示部１８を制御する。
【００５５】
画像制御ＣＰＵ５５にはジョブ管理用のメモリ部５４及び、画像データ用の画像メモリ５３が接続される。この例では、画像メモリ５３には、画像データＤINの他にジョブ出力情報Ｄ５３が記憶される。ジョブ出力情報Ｄ５３には、画像形成ジョブに係る部番号、ページ番号、排出先、先頭要素へのポインタ等の出力先情報要素が含まれる（図３参照）。
【００５６】
メモリ部５４には、排紙先履歴情報Ｄ５４や、排紙先状態情報Ｄ５５等が記憶される。排紙先履歴情報Ｄ５４には、ジョブＮｏ．、サイズ、紙種、モード、ページ数、部数、印刷モード、出力完了時間、排紙位置及びステータス等の排紙用紙情報要素が含まれる（図４参照）。排紙先状態情報Ｄ５５は出力対象の画像形成ジョブの排出時の排紙先の状態を示す情報であり、ジョブ出力情報Ｄ５３と、取得した排紙先履歴情報Ｄ５４とに基づいて作成される。
【００５７】
排紙先状態情報Ｄ５５には、画像形成ジョブに基づく出力物Ｐoutの回収有無を示す未回収や、回収済み等が含まれる（図１４参照）。ジョブ出力情報Ｄ５３、排紙先履歴情報Ｄ５４及び排紙先状態情報Ｄ５５は表示可能なフォーマットに変換され表示データＤ１８となって表示部１８に出力される。
【００５８】
上述の画像制御ＣＰＵ５５にはカラープリンタ８０が接続される。カラープリンタ８０は、図示しない画像書き込み部を構成するレーザーダイオード（以下総称してＬＤ８１と記述する）や、プリンタ制御部８２等を含み構成される。制御部１５の画像制御ＣＰＵ５５は、カラープリンタ８０のプリンタ制御部８２に接続される。プリンタ制御部８２には用紙供給部２０が接続される。用紙供給部２０は、操作表示パネル４８からの指示操作に基づいて給紙トレイ２１等を選択し、所定の紙サイズの用紙Ｐをカラープリンタ８０へ搬送する。カラープリンタ８０は、用紙供給部２０から給紙される所定の用紙Ｐに画像を形成して出力物Ｐoutを出力する。
【００５９】
この例で、カラー複写機１００に２台のスタッカー１０２，１０３が接続される。スタッカー１０２には、例えば、スタッカー制御部１０４が設けられる。スタッカー制御部１０４は、上述のプリンタ制御部８２に接続される。プリンタ制御部８２は、例えば、スタッカー制御部１０４へ排紙制御信号Ｓ１４を出力して、画像形成ジョブ毎にカラープリンタ８０から排出される出力物Ｐoutを各々のスタッカー１０２，１０３に排紙するように搬送路経路を切り替え制御する。
【００６０】
例えば、スタッカー制御部１０４は排紙制御信号Ｓ１４に基づいて、スタッカー１０２又は１０３への用紙搬送路を分岐するための図示しない分岐部を切り替え制御する。また、スタッカー１０２等において、その内部の複数の排紙トレイへの用紙排紙路を分岐するための図示しない分岐部の切り替え制御も行う。
【００６１】
なお、画像制御ＣＰＵ５５には、操作表示パネル４８及びカラープリンタ８０の他に、スキャナ１０５が接続される。スキャナ１０５は、図示しない原稿画像走査露光装置を構成するラインイメージセンサ（以下ＣＣＤ１１という）や、スキャナ制御部１２等を含み構成される。ＣＣＤ１１は、操作表示パネル４８からの読み取り指示操作及びスキャナ制御部１２の制御に基づいて原稿を読み取り、読み取って得た画像データＤINを画像制御ＣＰＵ５５に出力する。
【００６２】
スキャナ１０５のＣＣＤ１１は、画像制御ＣＰＵ５５の読み取り処理部５１に接続される。読み取り処理部５１は、ＣＣＤ１１から得られる画像データＤINを読み取り処理する。読み取り処理部５１には圧縮ＩＣ５２が接続される。圧縮ＩＣ５２は、読み取り処理部５１で処理された画像データＤINを圧縮する。圧縮された画像データＤINはＤＲＡＭ制御ＩＣ５６の制御を受けて画像メモリ５３に転送される。
【００６３】
圧縮ＩＣ５２にはＤＲＡＭ制御ＩＣ５６が接続される。ＤＲＡＭ制御ＩＣ５６は圧縮ＩＣ５２で圧縮された画像データＤINを画像メモリ５３に書き込むようにメモリ制御を実行する。ＤＲＡＭ制御ＩＣ５６には画像メモリ５３が接続される。画像メモリ５３は、圧縮メモリ３１及びページメモリ３２を有して構成される。圧縮メモリ３１には、圧縮された画像データＤINが記憶される。ページメモリ３２には、１ページ分の画像データＤINが記憶される。
【００６４】
上述のＤＲＡＭ制御ＩＣ５６には圧縮ＩＣ５２の他に伸長ＩＣ５７が接続される。伸長ＩＣ５７は、画像メモリ５３から読み出した画像データＤINを伸長する。伸長ＩＣ５７には書き込み処理部５９が接続される。書き込み処理部５９は、伸長ＩＣ５７で伸長された画像データＤINを処理してカラープリンタ８０へ出力する。
【００６５】
また、ＤＲＡＭ制御ＩＣ５６はデータバス５８に接続される。データバス５８には画像処理手段１６が接続される。画像処理手段１６は、コントローラ制御ＩＣ６１、ＤＲＡＭ制御ＩＣ６２、画像メモリ６３及びＬＡＮＩＦ部６４を有して構成される。ＬＡＮＩＦ部６４の一端は外部機器、例えば、パーソナルコンピュータ（以下パソコン２００という）に接続される。ＬＡＮＩＦ部６４の他端はＤＲＡＭ制御ＩＣ６２の一端に接続される。
【００６６】
ＬＡＮＩＦ部６４の他端は、ＤＲＡＭ制御ＩＣ６２の一端に接続される。ＤＲＡＭ制御ＩＣ６２の他端は、データバス５８に接続される。ＤＲＡＭ制御ＩＣ６２は更にコントローラ制御ＩＣ６１及び画像メモリ６３に接続される。画像処理手段１６では、ＬＡＮＩＦ部６４を介してパソコン２００から受信した画像データＤINをＤＲＡＭ制御ＩＣ６２に転送する。
【００６７】
ＤＲＡＭ制御ＩＣ６２は、コントローラ制御ＩＣ６１の制御を受けて画像メモリ６３に一旦記憶する。これにより、スキャナ１０５から得られた画像データＤINに限られることなく、パソコン２００から取り込んだ画像データＤINについても、画像を形成してプリント出力できるようになる。
【００６８】
ここで、図３を参照して、ジョブ管理テーブル及び出力先情報要素のデータ構造例について説明する。図３に示すジョブ管理テーブルは、例えば、画像メモリ５３に構築される。ジョブ管理テーブルには、ジョブ出力情報Ｄ５３の出力先情報要素が記述される。ここにジョブ出力情報Ｄ５３とは、各ジョブのページ毎に出力先を管理するためのリストデータをいう。
【００６９】
ジョブ出力情報Ｄ５３によれば、画像形成ジョブ生成時に、出力用紙の枚数分のデータ要素が作成され、画像形成出力が実施されたタイミングで、各ページに対応した出力先情報要素にデータがセットされる。リストデータの各要素が持つパラメータとしては、部番号／ページ番号／排出先／排紙位置（排出先の何枚目に積載されたか）／先頭要素へのポインタ等の出力先情報要素が含まれる。
【００７０】
この例で、画像制御ＣＰＵ５５は、全てのスタッカー１０２，１０３等の排出先に対して、出力対象となった画像形成ジョブに係る出力物Ｐoutが出力されているかをチェックし、出力が実施されたスタッカー１０２，１０３等の排出先のみを表示対象とするようになされる。
【００７１】
また、画像制御ＣＰＵ５５は、表示対象のスタッカー１０２，１０３等の各排出先に対して、出力済みジョブの情報の全てを表示部１８に表示する。出力対象の画像形成ジョブのジョブ出力情報Ｄ５３のみをグレーアウト表示することにより、ユーザが他の出力対象の画像形成ジョブのジョブ出力情報Ｄ５３と容易に区別を行えるようにした。
【００７２】
この例では、画像制御ＣＰＵ５５の図示しないレジスタには、図３Ａに示すようなジョブ管理用のテーブルへのポインタが設定される。当該画像制御ＣＰＵ５５のレジスタによるポインタがジョブ管理用のテーブルを指示するようになる。ジョブ管理用のテーブルには、出力対象の画像形成ジョブとして、ＪＯＢ１〜ＪＯＢｎの記述領域が設けられる。
【００７３】
ＪＯＢ１の先頭要素へのポインタは、出力先情報要素１（スタッカー１０２に対応）を指定し、出力先情報要素１のポインタは出力先情報要素２（スタッカー１０３に対応）を指定し、出力先情報要素２のポインタは、次の出力先情報要素を指定し、同様にして、Ｎ−１の出力先情報要素のポインタは、出力先情報要素Ｎを指定するようになされる。
【００７４】
また、ＪＯＢ２の先頭要素へのポインタは、出力先情報要素１を指定し、出力先情報要素１のポインタは出力先情報要素２を指定し、出力先情報要素２のポインタは、次の出力先情報要素を指定し、同様にして、Ｎ−１の出力先情報要素のポインタは、出力先情報要素Ｎを指定するようになされる。
【００７５】
同様にして、ＪＯＢｎの先頭要素へのポインタは、出力先情報要素１を指定し、出力先情報要素１のポインタは出力先情報要素２を指定し、出力先情報要素２のポインタは、次の出力先情報要素を指定し、同様にして、Ｎ−１の出力先情報要素のポインタは、出力先情報要素Ｎを指定するようになされる。
【００７６】
なお、出力先情報要素のデータ構造によれば、図３Ｂに示すように、画像形成ジョブにおける部番号や、ページ番号、排出先、排紙位置及び次要素へポインタ等が記述される。上述した例によれば、排出先を検索する実現方法を容易にするため、出力用紙の１枚毎にデータ要素を持つ構成について説明したが、これに限られることはない。例えば、出力先が同じ位置となるページのグループを１つの出力先情報要素として管理するデータ構造を採った場合であっても本発明は実現可能である。
【００７７】
続いて、図４を参照して、排紙先管理テーブル及び排紙用紙情報要素のデータ構造例について説明する。図４に示す排紙先管理テーブルは、例えば、図２に示したメモリ部５４に構築される。排紙先管理テーブルには、排紙先履歴情報Ｄ５４が記憶される。排紙先履歴情報Ｄ５４とは、各排紙先毎に出力された用紙Ｐを管理するためのリストデータをいう。
【００７８】
この例で、画像制御ＣＰＵ５５は、スタッカー１０２，１０３等の各排出先への出力物Ｐoutの出力が実施される毎に、新たなデータ要素を作成してリストに追加するようになされる。排紙先履歴情報Ｄ５４の各要素が持つパラメータとしては、ジョブＮｏ．／サイズ／紙種／出力完了時間／除去情報／排紙位置／次要素へのポインタ等の排紙用紙情報要素である。
【００７９】
この例では、画像制御ＣＰＵ５５の図示しないレジスタには、図４Ａに示すような排紙先管理用のテーブルへのポインタが設定される。当該画像制御ＣＰＵ５５のレジスタによるポインタが排紙先管理用のテーブルを指示するようになる。排紙先管理用のテーブルには、出力対象の画像形成ジョブとして、排紙先１〜排紙先ｎの記述領域が設けられる。
【００８０】
排紙先１の先頭要素へのポインタは、排紙用紙情報要素１を指定し、排紙用紙情報要素１のポインタは排紙用紙情報要素２を指定し、排紙用紙情報要素２のポインタは、次の排紙用紙情報要素を指定し、同様にして、Ｎ−１の排紙用紙情報要素のポインタは、排紙用紙情報要素Ｎを指定するようになされる。
【００８１】
また、排紙先２の先頭要素へのポインタは、排紙用紙情報要素１を指定し、排紙用紙情報要素１のポインタは排紙用紙情報要素２を指定し、排紙用紙情報要素２のポインタは、次の排紙用紙情報要素を指定し、同様にして、Ｎ−１の排紙用紙情報要素のポインタは、排紙用紙情報要素Ｎを指定するようになされる。
【００８２】
同様にして、排紙先ｎの先頭要素へのポインタは、排紙用紙情報要素１を指定し、排紙用紙情報要素１のポインタは排紙用紙情報要素２を指定し、排紙用紙情報要素２のポインタは、次の排紙用紙情報要素を指定し、同様にして、Ｎ−１の排紙用紙情報要素のポインタは、排紙用紙情報要素Ｎを指定するようになされる。
【００８３】
なお、排紙用紙情報要素のデータ構造によれば、ジョブＮｏ．／サイズ／紙種／出力完了時間／除去情報／排紙位置／次要素へのポインタ等が記述される。上述した例によれば、排出先を検索する実現方法を容易にするため、排紙先履歴情報Ｄ５４を個別に管理する構成について説明したが、これに限られることはない。例えば、全ての排紙先履歴情報Ｄ５４をジョブ出力情報Ｄ５３のデータ構造で管理し、当該ジョブ出力情報Ｄ５３から排紙先履歴情報Ｄ５４を構築する場合であっても、本発明は実現可能である。
【００８４】
続いて、図５を参照して、本発明に係るジョブ履歴画面Ｇ１の表示例について説明する。図５に示すジョブ履歴画面Ｇ１は、図示しない画像形成条件を設定するための基本設定画面等で「出力履歴リスト」のアイコンスイッチを選択して押下すると、基本設定画面から表示が遷移するものである。ジョブ履歴画面Ｇ１は表示データＤ１８に基づいて表示部１８に表示される。
【００８５】
表示データＤ１８は排紙先履歴情報Ｄ５４を表示可能なフォーマットに変換したものである。ジョブ履歴画面Ｇ１には「出力履歴リスト」の文字情報が表示される。出力履歴リストの文字情報の下方には、「ジョブＮｏ．モード  ページ数  部数  印刷モード  出力完了時間  ステータス」等のジョブ履歴項目の欄が記述される。なお、デフォルトは最後に出力された画像形成ジョブである。この例では、ジョブＮｏ．５である。
【００８６】
このジョブＮｏ．５のモード欄には「コピア」が記述（表示）され、そのページ数の欄には「１０」が記述され、その部数の欄には「３００」が記述され、その印刷モードの欄には「両面→片面」が記述され、その出力完了時間の欄には「１５：３６」が記述され、そのステータスの欄には「正常終了」が記述される。
【００８７】
ジョブＮｏ．４のモード欄には「プリンタ」が記述され、そのページ数の欄には「１００」が記述され、その部数の欄には「１００」が記述され、その印刷モードの欄には「片面→片面」が記述され、その出力完了時間の欄には「１５：２０」が記述され、そのステータスの欄には「正常終了」が記述される。
【００８８】
ジョブＮｏ．３のモード欄には「コピア」が記述され、そのページ数の欄には「５０」が記述され、その部数の欄には「５０」が記述され、その印刷モードの欄には「両面→片面」が記述され、その出力完了時間の欄には「１４：５４」が記述され、そのステータスの欄には「正常終了」が記述される。
【００８９】
ジョブＮｏ．２のモード欄には「コピア」が記述され、そのページ数の欄には「６０」が記述され、その部数の欄には「３０」が記述され、その印刷モードの欄には「片面→両面」が記述され、その出力完了時間の欄には「１３：３６」が記述され、そのステータスの欄には「正常終了」が記述される。
【００９０】
ジョブＮｏ．１のモード欄には「プリンタ」が記述され、そのページ数の欄には「１００」が記述され、その部数の欄には「１００」が記述され、その印刷モードの欄には「片面→片面」が記述され、その出力完了時間の欄には「１１：１５」が記述され、そのステータスの欄には「キャンセル」が記述される。
【００９１】
ジョブ履歴項目の欄の下方には、左側から順に「次頁」、「前頁」「詳細確認」「排紙先確認」及び「終了」等の押しボタン用のキーＫ１〜Ｋ５が表示される。次頁のキーＫ１は、当該頁の出力履歴リストにおいて次頁を指示する際に押下される。前頁のキーＫ２は、当該頁の出力履歴リストにおいて、前頁を指示する際に押下される。詳細確認のキーＫ３は、当該頁の出力履歴リストにおいて、ジョブ履歴項目の欄の詳細を確認する際に押下される。
【００９２】
排紙先確認のキーＫ４は、既存の出力履歴画面に新規に追加されたもので、当該ページの出力履歴リストにおいて、ジョブ履歴項目の欄に記述された画像形成ジョブに係る出力物Ｐoutの排出先を確認する際に押下される。排紙先確認のキーＫ４が押下されると、ジョブ履歴画面Ｇ１から排出先表示画面Ｇ２１に表示が遷移するようになっている。また、終了のキーＫ５は、当該頁の出力履歴リストを閉じて終了する際に押下される。
【００９３】
これらの画像形成ジョブに係るジョブ（job）Ｎｏ．１〜５の出力履歴リストがジョブ履歴画面Ｇ１に表示される。なお、現在選択中の画像形成ジョブは、グレードアウト表示することによりユーザに通知される。また、任意の画像形成ジョブの表示エリアを押下することにより、選択中の画像形成ジョブを切り替えることができる。
【００９４】
続いて、図６を参照して、本発明に係る排出先表示画面Ｇ２１の表示例について説明する。この例でも、排出先表示画面Ｇ２１には「出力履歴リスト」の文字情報が表示される。図６に示す排出先表示画面Ｇ２１は、図５に示したジョブ履歴画面Ｇ１で、ジョブＮｏ．５のジョブ履歴項目の欄がグレードアウト表示され、排紙先確認のキーＫ４が押下されることで、ジョブ履歴画面Ｇ１から排出先表示画面Ｇ２１へ表示が切り替わったものである。
【００９５】
図２に示した表示部１８には、各々のスタッカー１０２，１０３等に排出された出力物Ｐoutの出力ページ及び出力部数の少なくともいずれか一方が表示される。もちろん、排出先毎に排紙された部数及びページを併せて表示してもよい。排出先は、画像形成ジョブの出力が実施された排出先のみが表示される。未使用の排出先は非表示とされる。
【００９６】
また、表示部１８には、各々のスタッカー１０２，１０３等に積載された他の画像形成ジョブの有無及び他の画像形成ジョブの情報の少なくともいずれか一方が表示される。もちろん、他の画像形成ジョブの有無及び他の画像形成ジョブの情報を併せて表示してもよい。例えば、対象の排出先に他の画像形成ジョブが存在する場合、他の画像形成ジョブの排出位置も表示が行なわれる。なお、ユーザが指定した画像形成ジョブはグレードアウトで表示することにより容易に区別できるようになっている。
【００９７】
他の画像形成ジョブの情報には、用紙Ｐの枚数及び紙種が含まれる。例えば、各出力対象の画像形成ジョブに対して、サイズ・紙種・部数・ページ数が併せて表示される。この例で、ジョブＮｏ．５のモード欄には「コピア」が記述（表示）され、そのページ数の欄には「１０」が記述され、その部数の欄には「３００」が記述され、その印刷モードの欄には「両面→片面」が記述され、その出力完了時間の欄には「１５：３６」が記述され、そのステータスの欄には「正常終了」が記述される。
【００９８】
なお、画像形成ジョブに係る出力物Ｐoutが未回収の場合、未回収の他の画像形成ジョブのみの表示がなされる。但し、出力物Ｐoutの回収を検知できる機種に限られる。これは、未回収でない出力物Ｐoutが既に排出先から除去されているためである。
【００９９】
図６に示すジョブＮｏ．５のジョブ履歴項目の欄の下方には、「スタッカー１」及び「スタッカー２」における排紙情報記述エリアが設けられ、出力物Ｐoutの排紙内容が記述される。例えば、スタッカー１の排紙情報記述エリアには、ジョブＮｏ．５、ジョブＮｏ．４、ジョブＮｏ．３が記述され、ジョブＮｏ．５には、「１部目１ページ〜８０部目５ページ  Ａ３／６４ｇ／上質紙  回収：未回収」がグレーアウト表示される。ジョブＮｏ．４には、「１部目１ページ〜１０部目１００ページ  Ａ３／６４ｇ／普通紙  回収：未回収」が表示される。ジョブＮｏ．３には、「１部目１ページ〜５０部目５０ページ  Ａ３／８０ｇ／上質紙  回収：未回収」が表示される。
【０１００】
スタッカー２の排紙情報記述エリアには、ジョブＮｏ．５が記述され、当該ジョブＮｏ．５には、「８０部目６ページ〜３００部目１０ページ  Ａ３／６４ｇ／上質紙  回収：未回収」がグレーアウト表示される。排出先表示画面Ｇ２１には終了のキーＫ５のアイコンスイッチが表示される。
【０１０１】
続いて、図７を参照して、本発明に係る排出先表示画面Ｇ２２の表示例について説明する。この例は、画面表示中に排出先の状態が変化した場合であって、リアルタイムに表示が更新される場合であり、図６に示した排出先表示画面Ｇ２１の表示状態において、図７に示す排出先表示画面Ｇ２２のスタッカー２に、他の画像形成ジョブ（Ｎｏ．６）が出力された場合である。図中、ジョブＮｏ．６に係る内容が追加更新される。
【０１０２】
図２に示した画像制御ＣＰＵ５５は、表示部１８における出力物Ｐoutの排出先の表示中に、他の画像形成ジョブの状態に変化が有ったか否かを監視し、他の画像形成ジョブの状態に変化が有った場合、表示部１８による出力物Ｐoutの排出先の表示を変更する。上述の例では、画像形成ジョブＮｏ．６の出力が実施されることにより、リアルタイムに排出先情報が更新される。
【０１０３】
この例で、ジョブＮｏ．５のモード欄には「コピア」が記述（表示）され、そのページ数の欄には「１０」が記述され、その部数の欄には「３００」が記述され、その印刷モードの欄には「両面→片面」が記述され、その出力完了時間の欄には「１５：３６」が記述され、そのステータスの欄には「正常終了」が記述される。
【０１０４】
このジョブＮｏ．５のジョブ履歴項目の欄の下方には、「スタッカー１」及び「スタッカー２」における排紙情報記述エリアが設けられ、出力物Ｐoutの排紙内容が記述されるが、スタッカー１の排紙情報記述エリアには、排出先表示画面Ｇ２１と同じ、ジョブＮｏ．５、ジョブＮｏ．４、ジョブＮｏ．３が記述される。
【０１０５】
しかし、スタッカー２の排紙情報記述エリアには、ジョブＮｏ．５の記述内容に加えて、画像形成ジョブＮｏ．６が記述され、そのジョブＮｏ．６には、「１部目１ページ〜１００部目１０ページ  Ａ３／８０ｇ／上質紙  回収：未回収」が表示される。なお、画像形成ジョブＮｏ．５には、「８０部目６ページ〜３００部目１０ページ  Ａ３／６４ｇ／上質紙  回収：未回収」がグレーアウト表示されたままである。
【０１０６】
また、排出先表示画面Ｇ２２にも終了のキーＫ５のアイコンスイッチが表示される。終了のキーＫ５を押下すると、図５に示したジョブ履歴画面Ｇ１に表示が切り替わるようになされる。
【０１０７】
続いて、図８を参照して、本発明に係る排出先表示画面Ｇ２３の表示例について説明する。この例では、図６に示した排出先表示画面Ｇ２１から出力内容が更新されて、図８に示す排出先表示画面Ｇ２３へ表示が遷移したものである。排出先表示画面Ｇ２３は、スタッカー１の出力物Ｐoutが回収された場合の表示例を示している。
【０１０８】
図２に示した画像制御ＣＰＵ５５は、表示部１８における出力物Ｐoutの排出先の表示中に、スタッカー１０２，１０３から出力物Ｐoutが取り除かれた場合、表示部１８による出力物Ｐoutの排出先の表示を変更する。上述した例では、スタッカー１の出力物Ｐoutが除去されることにより、スタッカー１に積載されている出力物Ｐoutの回収状態が「未回収」→「回収済み」と表示が切り替わるようになる。
【０１０９】
この例で、ジョブＮｏ．５のモード欄には「コピア」が記述（表示）され、そのページ数の欄には「１０」が記述され、その部数の欄には「３００」が記述され、その印刷モードの欄には「両面→片面」が記述され、その出力完了時間の欄には「１５：３６」が記述され、そのステータスの欄には「正常終了」が記述される。
【０１１０】
スタッカー１の排紙情報記述エリアには、ジョブＮｏ．５、ジョブＮｏ．４、ジョブＮｏ．３が記述されるが、ジョブＮｏ．５、ジョブＮｏ．４及び、ジョブＮｏ．３に係る出力物Ｐoutが全て回収されると、ジョブＮｏ．５には、「１部目１ページ〜８０部目５ページ  Ａ３／６４ｇ／上質紙  回収：回収済み」がグレーアウト表示される。  
更に、ジョブＮｏ．４には、「１部目１ページ〜１０部目１００ページ  Ａ３／６４ｇ／普通紙  回収：回収済み」が表示される。ジョブＮｏ．３には、「１部目１ページ〜５０部目５０ページ  Ａ３／８０ｇ／上質紙  回収：回収済み」が表示される。
【０１１１】
スタッカー２については、ジョブＮｏ．５の残りが未回収であることから、その排紙情報記述エリアのジョブＮｏ．５には、「８０部目６ページ〜３００部目１０ページ  Ａ３／６４ｇ／上質紙  回収：未回収」がグレートアウト表示されたままである。なお、排出先表示画面Ｇ２３にも  終了のキーＫ５のアイコンスイッチが表示される。終了のキーＫ５を押下すると図５に示したジョブ履歴画面Ｇ１に表示が切り替わるようになされている。
【０１１２】
これにより、ユーザが意図せずに出力物Ｐoutを回収していた場合、画像形成ジョブに係る出力物Ｐoutがどのタイミングで回収されてしまったかを参照できるため、誤って回収された状態をリカバリーすることが可能となる。例えば、図８の状態でジョブＮｏ．４の出力物Ｐoutを回収しようとした場合の画面例を図９に示している。
【０１１３】
ここで、図９を参照して、本発明に係る排出先表示画面Ｇ２４の表示例について説明する。この例では、図５に示したジョブ履歴画面Ｇ１で画像形成ジョブＮｏ．４を選択して排出先確認のキーＫ４を押下した場合であって、ジョブ履歴画面Ｇ１から排出先表示画面Ｇ２４へ表示が切り替わったものである。図９に示す例では、既に画像形成ジョブＮｏ．４に係る出力物Ｐoutが回収されている場合である。
【０１１４】
図２に示した画像制御ＣＰＵ５５は、各々のスタッカー１０２，１０３等から出力物Ｐoutが取り除かれたか否かを監視し、スタッカー１０２，１０３等から出力物Ｐoutが取り除かれた場合、表示部１８による出力物Ｐoutの排出先の表示に加えて、スタッカー１０２，１０３等から出力物Ｐoutが取り除かれた時刻を表示するように表示部１８を制御する。例えば、画像形成ジョブＮｏ．４の出力物Ｐoutを回収しようとした際に、既に、出力物Ｐoutが回収されていた場合、ジョブＮｏ．４の排出先表示画面Ｇ２４では、図９に示すように表示される。排出先表示画面Ｇ２４には、画像形成ジョブＮｏ．４に係る出力物Ｐoutの回収が実施された時間と同時にその回収が実施された出力物Ｐoutの情報が表示される。
【０１１５】
この例で、ジョブＮｏ．４のモード欄には「プリンタ」が記述（表示）され、そのページ数の欄には「１００」が記述され、その部数の欄には「１０」が記述され、その印刷モードの欄には「片面→片面」が記述され、その出力完了時間の欄には「１５：２０」が記述され、そのステータスの欄には「正常終了」が記述される。
【０１１６】
なお、画像形成ジョブに係る出力物Ｐoutが回収済みである場合、回収時間が同じ他の画像形成ジョブのみを表示する。但し、出力物Ｐoutの回収を検知できる機種に限られる。これは、画像形成ジョブに係る出力物Ｐoutの回収時に同じ排出先に存在している出力物Ｐoutを表示するためである。
【０１１７】
スタッカー１の排紙情報記述エリアには、ジョブＮｏ．５、ジョブＮｏ．４、ジョブＮｏ．３が記述され、ジョブＮｏ．５には、「１部目１ページ〜８０部目５ページ  Ａ３／６４ｇ／上質紙  回収：１５：４６  回収済み」が表示される。ジョブＮｏ．４には、「１部目１ページ〜１０部目１００ページ  Ａ３／６４ｇ／普通紙  回収：１５：４６  回収済み」がグレーアウト表示される。ジョブＮｏ．３には、「１部目１ページ〜５０部目５０ページ  Ａ３／８０ｇ／上質紙  回収：１５：４６  回収済み」が表示される。
【０１１８】
なお、スタッカー２にはジョブＮｏ．４に係る出力物Ｐoutが無いので、排出先表示画面Ｇ２４には、図８に示したようなスタッカー２の排紙情報記述エリアにおけるジョブＮｏ．５に係る出力物Ｐoutの表示内容が記述されない。排出先表示画面Ｇ２４にも、終了のキーＫ５のアイコンスイッチが表示される。終了のキーＫ５を押下すると図５に示したジョブ履歴画面Ｇ１に表示が切り替わるようになされている。これらにより、カラー複写機１００の制御系を構成する。
【０１１９】
続いて、本発明に係る画像形成装置の制御方法に関して、まず、図１０を参照して、実施形態としてのカラー複写機１００における通常プリント処理時のジョブ出力情報Ｄ５３及び排紙先履歴情報Ｄ５４の取得処理例について説明する。この例では、画像形成ジョブに設定に対応して、通常のプリント処理におけるジョブ出力情報Ｄ５３及び排紙先履歴情報Ｄ５４を作成処理する場合である。ジョブ出力情報Ｄ５３及び排紙先履歴情報Ｄ５４は、実際に出力動作が行われ、各排出用紙の排出先が確定した時点でステータスがセットされる。
【０１２０】
画像形成ジョブの出力中に、排出先の満杯を検知した場合、自動で排出先の切り替えが行われる。排出先が切り替わった場合、切り替えた後の排出先情報要素で各データが作成される。これらを生成処理条件にして、図１０に示すステップＳＴ１で画像制御ＣＰＵ５５はページカウンタの出力枚数の値Ｎ（以下でページカウンタＮという）を０で初期化する。次に、ステップＳＴ２で画像制御ＣＰＵ５５はページカウンタの出力枚数よりも画像形成ジョブの実行による出力枚数が越えたか否か（ページカウンタＮ＜ＪＯＢ出力枚数）で制御を分岐する。
【０１２１】
ページカウンタＮ＜ＪＯＢ出力枚数の関係となった場合は、ステップＳＴ３に移行し、排出先が満杯状態か否かで制御を分岐する。排出先が満杯状態である場合は、ステップＳＴ４で画像制御ＣＰＵ５５は排出先の自動切換えを実施する。例えば、プリンタ制御部８２はスタッカー制御部１０４へ排紙制御信号Ｓ１４を出力し、スタッカー１０２からスタッカー１０３へ排紙先を切り替えるようになされる。その後、ステップＳＴ５に移行する。
【０１２２】
排出先が満杯状態となっていない場合は、ステップＳＴ４をパスしてステップＳＴ５に移行する。ステップＳＴ５で画像制御ＣＰＵ５５は画像形成ジョブに基づくＮ枚目の出力物Ｐoutの出力動作を実施する。その後、ステップＳＴ６で画像制御ＣＰＵ５５は出力対象の画像形成ジョブに係る出力物Ｐoutのジョブ出力情報Ｄ５３において、その出力枚数Ｎ＝Ｎ＋１番目の要素に部番号／ページ番号／排出先のデータをセットする。
【０１２３】
その後、ステップＳＴ７で画像制御ＣＰＵ５５は画像形成ジョブに係る出力物Ｐoutの出力が実施された排出先の排紙先履歴情報Ｄ５４のリストの最後尾に新規要素を追加し、サイズ／紙種／出力完了時間の排紙用紙情報要素をセットする。そして、ステップＳＴ８で画像制御ＣＰＵ５５は画像形成ジョブに係る出力枚数の値Ｎをインクリメント（Ｎ＝Ｎ＋１）する。その後、ステップＳＴ２に戻る。ステップＳＴ２で画像制御ＣＰＵ５５はページカウントＮ＜ジョブ出力枚数の関係を脱した場合、すなわち、ページカウントＮ≧ジョブ出力枚数となった場合は、ジョブ出力情報Ｄ５３及び排紙先履歴情報Ｄ５４の取得及びその制御を終了する。
【０１２４】
続いて、図１１を参照して、カラー複写機１００におけるジョブ履歴画面Ｇ１及び、排出先表示画面Ｇ２１の表示処理例について説明する。この例では、図示しない基本設定画面等で「出力履歴リスト」のアイコンスイッチを選択し、当該アイコンスイッチを押下すると、基本設定画面からジョブ履歴画面Ｇ１へ表示が切り替わるものである。ジョブ履歴画面Ｇ１で、排紙先確認のキーＫ４を押下することにより、現在選択中の画像形成ジョブの排出先表示画面Ｇ２１を表示するようにした。
【０１２５】
これらを前提にして、まず、図１１に示すステップＳＴ１１で画像制御ＣＰＵ５５はジョブ管理用のメモリ部５４上に保存されている出力済みジョブのリストを取得する。このとき、画像制御ＣＰＵ５５はメモリ部５４から排紙先履歴情報Ｄ５４を読み出す。排紙先履歴情報Ｄ５４には、出力済みジョブのリストを構成する、ジョブＮｏ．、モード、ページ数、部数、印刷モード、出力完了時間及びステータス等の情報が含まれている。
【０１２６】
そして、ステップＳＴ１２で画像制御ＣＰＵ５５はジョブ履歴画面Ｇ１を表示部１８に表示する（図５参照）。表示部１８は、画像処理手段１６等で排紙先履歴情報Ｄ５４を表示可能なフォーマットに変換された後の表示データＤ１８に基づいてジョブ履歴画面Ｇ１を表示する。
【０１２７】
その後、ステップＳＴ１３で画像制御ＣＰＵ５５は出力完了時間が一番新しい画像形成ジョブを選択中として初期設定する。図５に示したジョブ履歴画面Ｇ１によれば、最後に出力された画像形成ジョブＮｏ．５がデフォルトである。
【０１２８】
また、ステップＳＴ１４で画像制御ＣＰＵ５５は選択中の画像形成ジョブの表示エリアをグレートアウトして通知する。図５に示した例では、ジョブ（job）Ｎｏ．５のジョブ履歴項目の欄がグレートアウト表示（図中、梨地で示す）されている。
【０１２９】
更に、ステップＳＴ１５で画像制御ＣＰＵ５５はユーザによるキー入力処理する。ユーザは、操作表示パネル４８を使用してキー入力操作を実行する。その後、ステップＳＴ１６で画像制御ＣＰＵ５５はユーザのキー入力に対応して制御を分岐する。
【０１３０】
例えば、任意の画像形成ジョブが選択された場合は、ステップＳＴ１７で画像制御ＣＰＵ５５は選択中の画像形成ジョブを更新する。表示部１８は、任意の画像形成ジョブの表示エリアが押下されることにより、選択中の画像形成ジョブを切り替えるようになされる。
【０１３１】
また、排紙先確認のキーＫ４が押下された場合は、ステップＳＴ１８に移行して、画像制御ＣＰＵ５５は排出先表示画面Ｇ２１の表示処理を実行する。排出先表示画面Ｇ２１には、各々のスタッカー１０２，１０３等に排出された出力物Ｐoutの出力ページ及び出力部数の少なくともいずれか一方を表示するようになされる。例えば、図１２に示すサブルーチンをコールし、そのステップＳＴ２１で画像制御ＣＰＵ５５は、出力対象の画像形成ジョブのジョブ出力情報Ｄ５３を取得する。
【０１３２】
次に、ステップＳＴ２２で画像制御ＣＰＵ５５はスタッカー１０２，１０３等の排出先を示すカウンタの値Ｎを０で初期化する。その後、ステップＳＴ２３で画像制御ＣＰＵ５５は排出先を示すカウンタの値（以下で排出先Ｎと記載する）が存在するか否かで制御を分岐する。排出先Ｎが存在する場合は、ステップＳＴ２４に移行し、画像制御ＣＰＵ５５は出力対象の画像形成ジョブの排出先Ｎに出力ページが存在するか否かで制御を分岐する。
【０１３３】
出力対象の画像形成ジョブの排出先に出力ページが存在する場合は、ステップＳＴ２５で画像制御ＣＰＵ５５は排出先の排紙先履歴情報Ｄ５４を取得する。その後、ステップＳＴ２６で画像制御ＣＰＵ５５は排紙先履歴情報Ｄ５４に基づいて排出先を示す表示対象のジョブリストにスタッカー１等を追加する。
【０１３４】
更に、ステップＳＴ２７で画像制御ＣＰＵ５５は排出先Ｎをインクリメント（Ｎ＝Ｎ＋１）する。その後、ステップＳＴ２３に戻る。上述のステップＳＴ２３で画像制御ＣＰＵ５５は排出先Ｎが存在しない場合は、図１３に示すステップＳＴ２８に移行し、ジョブ履歴画面Ｇ１を表示する（図５参照）。
【０１３５】
そして、ステップＳＴ２９で画像制御ＣＰＵ５５は、ジョブ出力情報Ｄ５３と、取得した排紙先履歴情報Ｄ５４とに基づいて出力対象の画像形成ジョブの排出時の排紙先状態情報Ｄ５５を作成する。例えば、図１４に示すサブルーチンをコールする。この例では、ジョブ出力情報Ｄ５３及び排紙先履歴情報Ｄ５４から、画像形成ジョブ排出時の排紙先状態情報を取得する場合を例に挙げる。出力対象の画像形成ジョブと同じタイミングで積載されていた他の画像形成ジョブか否かは、「除去情報が同一か否かという条件」で判断する。
【０１３６】
除去情報は、「未回収」で一致している場合は、現状で排出先に積載されていることを示し、除去情報が同一時刻の場合は、同じタイミングで排出先から除去されたことを示す。これらを排紙先状態情報Ｄ５５の取得条件にして、まず、図１４に示すステップＳＴ４１で画像制御ＣＰＵ５５はページカウンタの値Ｎを０で初期化する。
【０１３７】
その後、ステップＳＴ４２で画像制御ＣＰＵ５５は出力対象の画像形成ジョブの除去情報を取得する。そして、ステップＳＴ４３で画像制御ＣＰＵ５５はＮ番目の排紙用紙情報要素が存在するか否かで制御を分岐する。
【０１３８】
Ｎ番目の排紙用紙情報要素が存在する場合は、ステップＳＴ４４に移行し、Ｎ番目の排紙用紙情報要素の除去情報と、出力対象の画像形成ジョブの除去情報が一致するか否かで制御を分岐する。
【０１３９】
Ｎ番目の排紙用紙情報要素の除去情報と、出力対象の画像形成ジョブの除去情報が一致する場合は、ステップＳＴ４５で画像制御ＣＰＵ５５はＮ番目の排紙用紙情報要素を表示対象に追加する。
【０１４０】
ステップＳＴ４６で画像制御ＣＰＵ５５はページカウンタの値Ｎをインクリメント（Ｎ＝Ｎ＋１）する。その後、ステップＳＴ４３に戻る。ステップＳＴ４３で画像制御ＣＰＵ５５はＮ番目の排紙用紙情報要素が存在しない場合は、ステップＳＴ４７に移行して表示対象の排紙用紙情報要素を出力時間順にソートする。その後、図１３に示したメインルーチンのステップＳＴ２９にリターンする。
【０１４１】
そして、ステップＳＴ３０で画像制御ＣＰＵ５５は排紙先状態情報Ｄ５５に基づいて出力対象の画像形成ジョブの排紙先状態を操作表示パネル４８に表示する。そして、ステップＳＴ３１で画像制御ＣＰＵ５５は出力対象の画像形成ジョブのジョブ出力情報Ｄ５３をグレーアウト表示する。
【０１４２】
その後、ステップＳＴ３２で画像制御ＣＰＵ５５はユーザによるキー入力処理を受け付ける。このキー入力処理において、排紙先確認のキーＫ４が押下された場合は、ステップＳＴ３４に移行する。ステップＳＴ３４で画像制御ＣＰＵ５５は、終了のキーＫ５が押下されない場合、表示対象の画像形成ジョブの排紙先の排紙先履歴情報Ｄ５４を再取得する（図１３参照）。このとき、画像制御ＣＰＵ５５は最新の排紙先履歴情報Ｄ５４を参照し、その排紙先履歴情報Ｄ５４に基づいて画面表示の更新を行う。これにより、常に、最新の排紙先状態を表示できるようになる。
【０１４３】
その後、ステップＳＴ２９に戻って画像制御ＣＰＵ５５は上述した処理を繰り返すようになされる。なお、ステップＳＴ３３で画像制御ＣＰＵ５５は終了のキーＫ５が押下された場合は表示画面を閉じてステップＳＴ１８にリターンする。
【０１４４】
そして、図１１に示したステップＳＴ１６で画像制御ＣＰＵ５５は、終了のキーＫ５が押下された場合、排出先表示画面Ｇ２１を閉じ、再度、排出先表示画面Ｇ２１から図５に示したジョブ履歴画面Ｇ１に表示を切り替えるようになされる（表示が遷移する；戻る）。
【０１４５】
続いて、図１５を参照して、出力物回収時の排紙先履歴情報Ｄ５４の処理例について説明する。この例では、当該画像形成ジョブに基づく出力物Ｐoutの回収タイミングにおいて、排紙先履歴情報Ｄ５４を処理する場合である。出力物Ｐoutの回収を検知する方法としては、排出先の積載用紙検知センサや、ユーザによる操作表示パネル４８等からの回収通知や、出力物搬送用の台車の未セット情報等の検出が挙げられる。
【０１４６】
出力物Ｐoutの回収が検知された場合であって、その時点で対象排紙先に排出された用紙Ｐのリストの中で、除去情報が「未回収」となっている場合には、そのデータ要素に現在時刻が設定される場合を例に挙げる。これらを画像形成ジョブに係る出力物Ｐoutの回収時の処理条件にして、まず、図１５に示すステップＳＴ５１で画像制御ＣＰＵ５５は、画像形成ジョブに係る出力物Ｐoutの回収を検知した排出先の排紙先履歴情報Ｄ５４を取得する。
【０１４７】
その後、ステップＳＴ５２で画像制御ＣＰＵ５５はスタッカー１０２，１０３等の排出先を示すカウンタの値Ｎを０で初期化する。そして、ステップＳＴ５３で画像制御ＣＰＵ５５は排紙先履歴情報Ｄ５４に排紙先に関するＮ番目の排紙用紙情報要素が存在するか否かで制御を分岐する。排紙先履歴情報Ｄ５４にＮ番目の排紙用紙情報要素が存在する場合は、ステップＳＴ５４に移行し、Ｎ番目の排紙用紙情報要素の除去情報が「未回収」のステータスか否かで制御を分岐する。
【０１４８】
Ｎ番目の排紙用紙情報要素の除去情報が「未回収」のステータスである場合は、ステップＳＴ５５で除去情報に現在時刻のステータスをセットする。これにより、出力物Ｐoutの回収が検知された場合であって、その時点で対象排出先に排出された用紙Ｐのリストの中で、除去情報が「未回収」となっているデータ要素に現在時刻を設定できるようになる（図９参照）。
【０１４９】
その後、ステップＳＴ５６で画像制御ＣＰＵ５５はスタッカー１０２，１０３等の排出先を示すカウンタの値Ｎをインクリメント（Ｎ＝Ｎ＋１）する。その後、ステップＳＴ５３に戻って、排紙先履歴情報Ｄ５４にスタッカー１０２，１０３等の排出先を示すＮ番目の排紙用紙情報要素が存在しない場合は、表示制御を終了する。
【０１５０】
このように、実施形態としてのカラー複写機１００によれば、カラープリンタ８０が画像形成ジョブに基づく画像を用紙に形成して出力物Ｐoutを画像形成ジョブ毎に各々のスタッカー１０２，１０３等に排出する。複数のスタッカー１０２，１０３等は、カラープリンタ８０から排出される出力物Ｐoutを画像形成ジョブ毎に積載する。
【０１５１】
表示部１８は、スタッカー１０２，１０３に排出される出力物Ｐoutの排出先を表示する。操作制御部１４は、表示部１８に表示される出力物Ｐoutの排出先を確認するための要求を入力する。これらを前提にして、画像制御ＣＰＵ５５が、画像形成ジョブ毎にカラープリンタ８０から各々のスタッカー１０２，１０３に排出される出力物Ｐoutを管理すると共に、操作制御部１４によって入力された確認要求に基づく出力物Ｐoutの排出先を当該画像形成ジョブ毎に表示するように表示部１８を制御するようになる。
【０１５２】
この表示制御によって、操作制御部１４によって入力された確認要求に基づく出力物Ｐoutの排出先を画像形成ジョブ毎に全て表示部１８に表示できるようになる。これにより、ユーザが画像形成ジョブに基づく出力物Ｐoutの排紙位置を容易に確認することができ、出力物Ｐoutの取り忘れを防止できるようになる。
【０１５３】
また、カラー複写機１００によれば、画像制御ＣＰＵ５５が各々のスタッカー１０２，１０３等に排出された出力物Ｐoutの出力ページ及び出力部数の少なくともいずれか一方を表示するように表示部１８を表示制御するので、ユーザが投じた画像形成ジョブの排出位置を容易に確認することができる。
【０１５４】
更に、カラー複写機１００によれば、画像制御ＣＰＵ５５が各々のスタッカー１０２，１０３等に積載された他の画像形成ジョブの有無及び他の画像形成ジョブの情報の少なくともいずれか一方を表示するように表示部１８を表示制御するので、ユーザが画像形成ジョブに基づく出力物Ｐoutの回収を行うとき、他の画像形成ジョブの存在を確認できるようになり、誤って、他の画像形成ジョブに係る出力物Ｐoutを回収してしまうことを防止できるようになる。
【０１５５】
また、カラー複写機１００によれば、他の画像形成ジョブの情報には、用紙の枚数及び紙種が含まれるので、ユーザが自分が投じた画像形成ジョブと、他人が投じた画像形成ジョブとの区切りを容易に確認できるようになり、誤って、他人の画像形成ジョブに基づく出力物Ｐoutを回収してしまうことを防止できるようになる。
【０１５６】
更に、カラー複写機１００によれば、図７に示したように、他の画像形成ジョブの状態に変化が有った場合、画像制御ＣＰＵ５５は、表示部１８による出力物Ｐoutの排出先の表示を変更するので、ユーザにとって、常に排出先の状態を把握することができ、出力物Ｐoutの回収作業中に、他の出力物Ｐoutの排出がなされ、排出先の状態が、ユーザが意図せずに変化することによる出力物Ｐoutの取り違いを防止できるようになる。
【０１５７】
また、カラー複写機１００によれば、図１に示したスタッカー１０２，１０３等から出力物Ｐoutが取り除かれた場合、画像制御ＣＰＵ５５が表示部１８による出力物Ｐoutの排出先の表示を変更するので、ユーザが画像形成ジョブに基づく出力物Ｐoutの回収作業を行っている中で、回収済みの出力物Ｐoutと未回収の出力物Ｐoutとを容易に認識できるようになる。
【０１５８】
なお、カラー複写機１００によれば、図９に示したようにスタッカー１から、画像形成ジョブＮｏ．４に係る出力物Ｐoutが取り除かれた場合、表示部１８による出力物Ｐoutの排出先の表示に加えて、当該スタッカー１から画像形成ジョブＮｏ．４に係る出力物Ｐoutが取り除かれた時刻が表示されるので、表示時刻の情報に基づいてスタッカー１から当該画像形成ジョブＮｏ．４に係る出力物Ｐoutが取り除かれた時刻を確認できるようになる。これにより、画像形成ジョブＮｏ．４に基づく出力物Ｐoutが誤って回収された可能性がある画像形成ジョブの特定が容易になり、リカバリー作業が容易になる。
【産業上の利用可能性】
【０１５９】
この発明は、画像形成ジョブに基づく画像を用紙に形成した画像形成物を当該画像形成ジョブ毎に排出する機能を備えたカラー用や、白黒用のプリンタや、複写機、これら複合機に適用して極めて好適である。
【符号の説明】
【０１６０】
１１  ＣＣＤ
１２  スキャナ制御部
１４  操作制御部
１５  制御部
１６  画像処理手段
１８  表示部
２０  用紙供給部
３１  圧縮メモリ
３２  ページメモリ
４５  タイミング発生部
４８  操作表示パネル
５１  読み込み処理部
５２  圧縮ＩＣ
５３，６３  画像メモリ
５４  メモリ部
５５  画像制御ＣＰＵ
５６，６２  ＤＲＡＭ制御ＩＣ
５７  伸長ＩＣ
５９  書き込み処理部
６１  コントローラ制御ＩＣ
６４  ＬＡＮＩＦ部  
８０  カラープリンタ（画像形成部）
８１  ＬＤ（画像形成部）
８２  プリンタ制御部  
１００  カラー複写機（画像形成装置）
１０１  複写機本体部
１０２，１０３  スタッカー
１０４  スタッカー制御部
【図１】
2013146898.tif 000003
【図２】
2013146898.tif 000004
【図３】
2013146898.tif 000005
【図４】
2013146898.tif 000006
【図５】
2013146898.tif 000007
【図６】
2013146898.tif 000008
【図７】
2013146898.tif 000009
【図８】
2013146898.tif 000010
【図９】
2013146898.tif 000011
【図１０】
2013146898.tif 000012
【図１１】
2013146898.tif 000013
【図１２】
2013146898.tif 000014
【図１３】
2013146898.tif 000015
【図１４】
2013146898.tif 000016
【図１５】
2013146898.tif 000017